(57)【特許請求の範囲】
【請求項１】
大屋根が取り付けられる本体に基端が取り付けられる支持棒と、前記大屋根の裏側に取り付けられ前記大屋根を開放する場合に前記支持棒の先端が当接する受け部材とを備え、前記支持棒で前記大屋根を支持することにより、前記大屋根の開放状態を維持する鍵盤装置において、
前記支持棒は、
先端側に設けられる挿入部と、
その挿入部より基端側に設けられると共に、前記支持棒の軸心と直交する方向の寸法が前記挿入部より小さく設定される嵌合部とを備え、
前記受け部材は、
第１中心線を有し、その第１中心線の方向に長さを有する孔であって、前記支持棒の挿入部及び嵌合部が収容されると共に、前記第１中心線と直交する方向の寸法が前記支持棒の軸心と直交する方向における前記挿入部の寸法より大きく設定される大孔部と、
第２中心線を有し、その第２中心線の方向に長さを有する孔であって、前記支持棒の挿入部及び嵌合部が収容されると共に、前記第２中心線と直交する方向で前記大孔部に連設され、前記第２中心線と直交する方向の寸法が前記大孔部より小さく設定される小孔部とを備え、
前記大孔部は、その大孔部の内縁に沿って前記第１中心線の方向に延設される壁である大孔側壁部を備え、
前記小孔部は、
前記第２中心線と直交する方向の寸法が前記支持棒の軸心と直交する方向における前記嵌合部の寸法より大きく設定され、前記嵌合部が収容される第１小孔部と、
前記第２中心線と直交する方向の寸法が前記支持棒の軸心と直交する方向における前記挿入部の寸法より大きく設定され、前記挿入部が収容される第２小孔部とを備え、
前記第２小孔部は、前記第２小孔部の内縁に沿って前記第２中心線の方向に延設される壁であって、前記第２中心線の方向における寸法が前記支持棒の軸心方向における前記挿入部の寸法より長く設定される第２小孔側壁部を備え、
前記第１小孔部は、前記第１小孔部の内縁に沿って前記第２中心線の方向に延設される壁であって、前記第２小孔側壁部より前記第２中心線側に突出する第１小孔側壁部を備え、
前記大孔部に収容された前記支持棒を前記小孔部側に移動させた場合に、前記挿入部又は嵌合部の少なくともいずれか一方が前記第１小孔側壁部又は前記第２小孔側壁部に突き当てられることにより、前記支持棒の軸心と直交する方向における前記支持棒の移動が規制されるように構成され、
前記小孔部に収容された前記支持棒に対して、前記支持棒の軸心方向と直交する方向で前記大孔部に向かう外力が負荷された場合に、前記挿入部又は嵌合部の少なくともいずれか一方が前記大孔側壁部に突き当てられることにより、前記支持棒の前記大孔部側への移動が規制されるように構成され、
前記小孔部に収容された前記支持棒に対して、前記支持棒の軸心方向で前記支持棒の基端に向かう外力が負荷された場合に、前記挿入部が前記第１小孔側壁部と前記第２小孔側壁部との間に形成される段差部に突き当てられることにより、前記支持棒の軸心方向における前記支持棒の基端側への移動が規制されるように構成されていることを特徴とする鍵盤装置。
【請求項２】
前記支持棒で前記大屋根が支持される場合に、前記受け部材は、前記大孔部より前記小孔部を前記大屋根の前記本体への取付箇所に近づけた状態で前記大屋根の裏面に取り付けられていることを特徴とする請求項１記載の鍵盤装置。
【請求項３】
前記支持棒の挿入部及び嵌合部を前記小孔部に収容して前記大屋根を支持する場合に、水平面に対して前記支持棒の先端面が傾斜する角度と前記水平面に対して前記受け部材の底面が傾斜する角度とが一致することを特徴とする請求項１又は２に記載の鍵盤装置。
【請求項４】
前記支持棒の挿入部及び嵌合部を前記小孔部に収容して前記大屋根を支持する場合に前記大屋根と前記支持棒とで形成される角度は、前記支持棒の挿入部及び嵌合部を前記大孔部に収容して前記大屋根を支持する場合に前記大屋根と前記支持棒とで形成される角度に比べて直角以上で大きく設定されることを特徴とする請求項１から３のいずれかに記載の鍵盤装置。
【発明の詳細な説明】
【技術分野】
【０００１】
本発明は鍵盤装置に関し、特に、大屋根や支持棒に外力が負荷された場合であっても、大屋根の落下を確実に防止することができる鍵盤装置に関するものである。
【背景技術】
【０００２】
従来、鍵盤装置、特にグランドピアノの演奏時には、特開平８―３０５３４５号で示すように、大屋根をグランドピアノの本体側から持ち上げている。これは、グランドピアノの本体の上側を開放して、演奏音を大屋根で反射することにより、まろやかで音楽性豊かなものとするためである。
【０００３】
この鍵盤装置では、大屋根が落下することを防止するために、大屋根の裏側に取り付けられた受皿に窪みを設け、その受皿の窪みに支持棒の先端を遊嵌させることにより、支持棒で大屋根が支持されている。
【特許文献１】特開平８−３０５３４５号
【発明の開示】
【発明が解決しようとする課題】
【０００４】
しかしながら、上述した従来の鍵盤装置では、受皿の窪みに支持棒の先端を遊嵌させることにより、支持棒で大屋根を支持するので、地震や運搬時の振動及びグラントピアノへの人物の接触によって大屋根や支持棒に外力が負荷された場合に、支持棒の先端が受皿の窪みを超えて受皿から外れて大屋根が落下するという問題点があった。
【０００５】
本発明は上述した問題点を解決するためになされたものであり、大屋根や支持棒に外力が負荷された場合であっても、大屋根の落下を確実に防止することができる鍵盤装置を提供することを目的としている。
【課題を解決するための手段】
【０００６】
この目的を達成するために、請求項１記載の鍵盤装置は、大屋根が取り付けられる本体に基端が取り付けられる支持棒と、前記大屋根の裏側に取り付けられ前記大屋根を開放する場合に前記支持棒の先端が当接する受け部材とを備え、前記支持棒で前記大屋根を支持することにより、前記大屋根の開放状態を維持するものであって、前記支持棒は、先端側に設けられる挿入部と、その挿入部より基端側に設けられると共に、前記支持棒の軸心と直交する方向の寸法が前記挿入部より小さく設定される嵌合部とを備え、前記受け部材は、第１中心線を有し、その第１中心線の方向に長さを有する孔であって、前記支持棒の挿入部及び嵌合部が収容されると共に、前記第１中心線と直交する方向の寸法が前記支持棒の軸心と直交する方向における前記挿入部の寸法より大きく設定される大孔部と、第２中心線を有し、その第２中心線の方向に長さを有する孔であって、前記支持棒の挿入部及び嵌合部が収容されると共に、前記第２中心線と直交する方向で前記大孔部に連設され、前記第２中心線と直交する方向の寸法が前記大孔部より小さく設定される小孔部とを備え、前記大孔部は、その大孔部の内縁に沿って前記第１中心線の方向に延設される壁である大孔側壁部を備え、前記小孔部は、前記第２中心線と直交する方向の寸法が前記支持棒の軸心と直交する方向における前記嵌合部の寸法より大きく設定され、前記嵌合部が収容される第１小孔部と、前記第２中心線と直交する方向の寸法が前記支持棒の軸心と直交する方向における前記挿入部の寸法より大きく設定され、前記挿入部が収容される第２小孔部とを備え、前記第２小孔部は、前記第２小孔部の内縁に沿って前記第２中心線の方向に延設される壁であって、前記第２中心線の方向における寸法が前記支持棒の軸心方向における前記挿入部の寸法より長く設定される第２小孔側壁部を備え、前記第１小孔部は、前記第１小孔部の内縁に沿って前記第２中心線の方向に延設される壁であって、前記第２小孔側壁部より前記第２中心線側に突出する第１小孔側壁部を備え、前記大孔部に収容された前記支持棒を前記小孔部側に移動させた場合に、前記挿入部又は嵌合部の少なくともいずれか一方が前記第１小孔側壁部又は前記第２小孔側壁部に突き当てられることにより、前記支持棒の軸心と直交する方向における前記支持棒の移動が規制されるように構成され、前記小孔部に収容された前記支持棒に対して、前記支持棒の軸心方向と直交する方向で前記大孔部に向かう外力が負荷された場合に、前記挿入部又は嵌合部の少なくともいずれか一方が前記大孔側壁部に突き当てられることにより、前記支持棒の前記大孔部側への移動が規制されるように構成され、前記小孔部に収容された前記支持棒に対して、前記支持棒の軸心方向で前記支持棒の基端に向かう外力が負荷された場合に、前記挿入部が前記第１小孔側壁部と前記第２小孔側壁部との間に形成される段差部に突き当てられることにより、前記支持棒の軸心方向における前記支持棒の基端側への移動が規制されるように構成されている。
【０００７】
請求項２記載の鍵盤装置は、請求項１記載の鍵盤装置において、前記支持棒で前記大屋根が支持される場合に、前記受け部材は、前記大孔部より前記小孔部を前記大屋根の前記本体への取付箇所に近づけた状態で前記大屋根の裏面に取り付けられている。
【０００８】
請求項３記載の鍵盤装置は、請求項１又は２に記載の鍵盤装置において、前記支持棒の挿入部及び嵌合部を前記小孔部に収容して前記大屋根を支持する場合に、水平面に対して前記支持棒の先端面が傾斜する角度と前記水平面に対して前記受け部材の底面が傾斜する角度とが一致している。
【０００９】
請求項４記載の鍵盤装置は、請求項１から３のいずれかに記載の鍵盤装置において、前記支持棒の挿入部及び嵌合部を前記小孔部に収容して前記大屋根を支持する場合に前記大屋根と前記支持棒とで形成される角度は、前記支持棒の挿入部及び嵌合部を前記大孔部に収容して前記大屋根を支持する場合に前記大屋根と前記支持棒とで形成される角度に比べて直角以上で大きく設定されている。
【発明の効果】
【００１０】
請求項１記載の鍵盤装置によれば、支持棒の基端を本体に取り付け、大屋根を開放する場合に、支持棒の先端を大屋根の裏側に取り付けられる受け部材に当接させることにより、支持棒で大屋根を支持している。
【００１１】
ここで、請求項１記載の鍵盤装置によれば、支持棒の先端側に挿入部を設けると共に、その挿入部より基端側に支持棒の軸心と直交する方向の寸法が挿入部より小さく設定される嵌合部を設け、受け部材に、第１中心線の方向に長さを有する孔であって、支持棒の挿入部及び嵌合部が収容される大孔部を設けると共に、第２中心線の方向に長さを有する孔であって、支持棒の挿入部及び嵌合部が収容される小孔部を第２中心線と直交する方向で大孔部に連設し、大孔部の第１中心線と直交する方向の寸法を支持棒の軸心と直交する方向における挿入部の寸法より大きく設定すると共に、小孔部の第２中心線と直交する方向の寸法を大孔部より小さく設定している。
【００１２】
これにより、支持棒の挿入部及び嵌合部を大孔部に挿入し、挿入部及び嵌合部を大孔部に収容した支持棒を大孔部から小孔部側に移動させると、支持棒の挿入部及び嵌合部が小孔部に収容される。この小孔部は第２中心線の方向に長さを有するので、小孔部が第２中心線の方向に長さを有しない場合に比べて、支持棒の挿入部及び嵌合部が受け部材から抜け難い。よって、支持棒で大屋根を確実に支持することができ、大屋根の落下を防止することができるという効果がある。
【００１３】
また、第１小孔部は、第２中心線と直交する方向の寸法が支持棒の軸心と直交する方向における嵌合部の寸法より大きく設定されると共に、第２小孔部は、第２中心線と直交する方向の寸法が支持棒の軸心と直交する方向における挿入部の寸法より大きく設定されている。さらに、第１小孔側壁部は、第１小孔部の内縁に沿って第２中心線の方向に延設されると共に、第２小孔側壁部は、第２小孔部の内縁に沿って第２中心線の方向に延設され、第２中心線の方向における寸法が支持棒の軸心方向における挿入部の寸法より長く設定されている。
【００１４】
よって、嵌合部及び挿入部が大孔部に収容された支持棒を小孔部側に移動させると、第１小孔部に嵌合部が収容され、第２小孔部に挿入部が収容されると共に、挿入部又は嵌合部の少なくともいずれか一方が第１小孔側壁部又は第２小孔側壁部に突き当てられる。これにより、支持棒の軸心と直交する方向における支持棒の移動が規制される。従って、支持棒が受け部材の小孔部から外れることを確実に防止することができ、支持棒で大屋根を確実に支持することができる。結果として、地震や運搬時の振動及びグラントピアノへの人物の接触によって大屋根や支持棒に外力が負荷されることにより、大孔部に収容された支持棒が小孔部側に移動さした場合であっても、大屋根の落下を確実に防止することができるという効果がある。
【００１５】
加えて、大孔部は、第１中心線と直交する方向の寸法が支持棒の軸心と直交する方向における挿入部の寸法より大きく設定され、その大孔部の内縁に沿って第１中心線の方向に大孔側壁部が延設されている。
【００１６】
よって、小孔部に収容された支持棒に対して、支持棒の軸心方向と直交する方向で大孔部に向かう外力が負荷されると、支持棒の挿入部及び嵌合部が大孔部に収容されると共に挿入部又は嵌合部の少なくともいずれか一方が大孔側壁部に突き当てられる。これにより、支持棒の大孔部側への移動が規制される。従って、支持棒が受け部材の大孔部から外れることを確実に防止することができ、支持棒で大屋根を確実に支持することができる。結果として、地震や運搬時の振動及びグラントピアノへの人物の接触によって大屋根や支持棒に外力が負荷されることにより、支持棒の軸心方向と直交する方向で大孔部に向かう外力が負荷された場合であっても、大屋根の落下を確実に防止することができる。
【００１７】
更に、第１小孔側壁部は、第２小孔側壁部より第２中心線側に突出している。よって、小孔部に収容された支持棒に対して、支持棒の軸心方向で基端に向かう外力が負荷されると、挿入部が第１小孔側壁部と第２小孔側壁部との間に形成される段差部に突き当てられる。これにより、支持棒の軸心方向における支持棒の基端側への移動、即ち、大屋根が持ち上げられることが規制される。従って、支持棒が受け部材の小孔部から外れることを確実に防止することができ、支持棒で大屋根を確実に支持することができる。結果として、地震や運搬時の振動及びグラントピアノへの人物の接触によって大屋根や支持棒に外力が負荷されることにより、支持棒の軸心方向で支持棒の基端に向かう外力が負荷された場合であっても、大屋根の落下を確実に防止することができる。
【００１８】
請求項２記載の鍵盤装置によれば、請求項１記載の鍵盤装置の奏する効果に加え、支持棒で大屋根が支持される場合に、受け部材は、大孔部より小孔部を大屋根の本体への取付箇所に近づけた状態で大屋根の裏面に取り付けられているので、大屋根の自重を利用して、大孔部に収容された支持棒を簡易に小孔部側に移動させることができると共に、大屋根の落下を確実に防止することができるという効果がある。
【００１９】
即ち、受け部材は、大孔部より小孔部を大屋根の本体への取付箇所に近づけた状態で大屋根の裏面に取り付けられているので、小孔部は大孔部より低い位置に配設されている。また、支持棒で大屋根を支持するので、支持棒に大屋根の自重が負荷されている。よって、大屋根の自重を利用して支持棒を大孔部から小孔部側に簡易に移動させることができる。
【００２０】
また、小孔部が大孔部と略同一位置又は大孔部より高い位置に配設されている場合に比べて、小孔部が大孔部より低い位置に配設されている場合は、より大きな荷重で、挿入部又は嵌合部の少なくともいずれか一方が第１小孔側壁部又は第２小孔側壁部に突き当てられる。これにより、支持棒の大孔部側への移動が規制される。結果として、大屋根の落下を確実に防止することができる。
【００２１】
請求項３記載の鍵盤装置によれば、請求項１又は２に記載の鍵盤装置の奏する効果に加え、支持棒の挿入部及び嵌合部を小孔部に収容して大屋根を支持する場合に、水平面に対して支持棒の先端面が傾斜する角度と水平面に対して受け部材の底面が傾斜する角度とが一致するので、支持棒の先端面と受け部材の底面との接触抵抗を利用して、大屋根の落下を確実に防止することができるという効果がある。
【００２２】
即ち、支持棒の挿入部及び嵌合部を大孔部に収容する場合に比べて、小孔部に収容する場合は、支持棒の先端面と受け部材の底面とを全面で接触させて支持棒の先端面と受け部材の底面との接触面積を大きくできるので、支持棒の先端面と受け部材の底面との接触抵抗を大きくできる。よって、支持棒の先端面を受け部材の底面に対して相対移動し難くして、大屋根の落下を確実に防止することができる。
【００２３】
請求項４記載の鍵盤装置によれば、請求項１から３のいずれかに記載の鍵盤装置の奏する効果に加え、支持棒の挿入部及び嵌合部を小孔部に収容して大屋根を支持する場合に大屋根と支持棒とで形成される角度は、支持棒の挿入部及び嵌合部を大孔部に収容して大屋根を支持する場合に大屋根と支持棒とで形成される角度に比べて直角以上で大きく設定されているので、支持棒の挿入部又は嵌合部が第２小孔側壁部又は第１小孔側壁部を押圧する荷重を大きく設定して、大屋根の落下を確実に防止することができるという効果がある。
【００２４】
即ち、支持棒の挿入部及び嵌合部を大孔部に収容して大屋根を支持する場合に、大屋根と支持棒とで形成される角度が直角より小さく設定されると、支持棒に大屋根を倒す方向と反対方向に作用する、つまり大屋根を起こす方向の荷重が発生し易くなる。これに対して、請求項４記載の鍵盤装置によれば、支持棒に大屋根を起こす方向への荷重を抑制できるので、支持棒の挿入部又は嵌合部が第２小孔側壁部又は第１小孔側壁部を押圧する荷重を、大屋根と支持棒とで形成される角度が直角より小さく設定される場合に比べて、大きく設定することができる。
【００２５】
また、支持棒の挿入部及び嵌合部を小孔部に収容して大屋根を支持する場合は、支持棒の挿入部及び嵌合部を小孔部に収容して大屋根を支持する場合に比べて、大屋根と支持棒とで形成される角度が大きく設定されているので、支持棒の挿入部又は嵌合部が大孔側壁部を押圧する荷重に比べて、支持棒の挿入部又は嵌合部が第２小孔側壁部又は第１小孔側壁部を押圧する荷重を大きく設定することができる。よって、支持棒で大屋根を確実に支持することができ、大屋根の落下を確実に防止することができる。
【発明を実施するための最良の形態】
【００２６】
以下、本発明の好ましい一実施の形態について、添付図面を参照して説明する。図１（ａ）は、本発明の実施の形態における電子ピアノ１００の斜視図であり、図１（ｂ）は、図１（ａ）の矢印Ｉａ方向から視た電子ピアノ１００の側面図である。また、図２は、電子ピアノ１００の平面図である。なお、図１及び図２は、大屋根１０を開放した状態を図示しており、図１（ａ）及び図１（ｂ）において、後述する補強部材６０の一部を構成する脚ブラケット６５（図８参照）の図示が省略されている。
【００２７】
まず、図１及び図２を参照して電子ピアノ１００の全体構成について説明する。図１及び図２に示すように、この電子ピアノ１００は、グランドピアノ（弦を水平に張ったピアノ）タイプの電子ピアノであり、略矩形状に形成されるピアノ本体１と、ピアノ本体１の下面に連結される２本の前脚５と、１本の後脚６と、後脚６と３つのペダルが設けられるペダルボックス７と、ペダルボックス７及びピアノ本体１の下面を連結するペダルポスト７２と、後脚６に取り付けられる補強部材６０とを有して構成されている。よって、ピアノ本体１は、２本の前脚５と１本の後脚６とにより三点で支持されている。
【００２８】
図２に示すように、ピアノ本体１は、ピアノ本体１の短辺方向である短手方向（図２上下方向）に延設される一対の側壁部２ｂ及びピアノ本体１の長手方向（図２左右方向）に延設される後壁部２ｃで平面視コ字型に形成される側板２で周囲を取り囲まれており、ピアノ本体１は、鍵盤３（図１（ａ）参照）が設けられる前側部分と、上方に開口する箱型に構成されると共に内部に鍵盤３の押鍵情報を検出する検出装置（図示せず）及びその検出結果に応じて演奏音を生成する演奏音生成装置（図示せず）等が収容される中央部分と、上方に開口すると共に大屋根１０により開閉される後側部分とで構成されている。
【００２９】
このピアノ本体１は、側板２の一対の側壁部２ｂに連結される縦壁２ａにより、ピアノ本体１の前側部分及びピアノ本体１の中央部分と、ピアノ本体１の後側部分とに区画され、ピアノ本体１の前側部分の上面に鍵盤３を覆う蓋部３ａが出し入れ可能に配設され、このピアノ本体１の中央部分の上面に天板４が配設されると共に、後側部分の上面に大屋根１０が配設されている。
【００３０】
図２に示すように、天板４は、ピアノ本体１の長手方向（図２左右方向）に延びる矩形状の板状部材であり、この天板４の上面に取り付けられる譜面台８を有して構成されている。大屋根１０は、ピアノ本体１の長手方向（図２左右方向）に延びる矩形状の部分とピアノ本体１の短手方向（図２上下方向）に延びる突出部分とを有する板状部材であり、天板４の後側（図２（ｂ）左側）に天板４と隣接して配設されている。図１（ｂ）に示すように、この大屋根１０は、前後２つの蝶番９を介して、側板２の低音側部分（側板２の図１（ｂ）紙面奥側の部分）に、ピアノ本体１に対して上下方向（図１（ｂ）上下方向）に回動自在に取り付けられている。
【００３１】
図１（ａ）及び図１（ｂ）に示すように、ピアノ本体１は、ピアノ本体１に基端（図１（ｂ）下側の端）が取り付けられる支持棒３０と、この大屋根１０の裏側に取り付けられると共に支持棒３０の先端（支持棒３０の図１（ｂ）上側の端）が当接する受け部材２０とを有して構成され、支持棒３０で大屋根１０を支持することにより、大屋根１０の開放状態を維持している。また、大屋根１０の前側部分の中央には、位置決めブラケット４０が設けられている。更に、図２に示すように、位置決めブラケット４０に対応して設けられる支持部材５０が側板２の一対の側壁部２ｂを連結する縦壁２ａに取り付けられている。
【００３２】
次に、図３を参照して、受け部材２０の詳細構成について説明する。図３（ａ）は、受け部材２０の上面図であり、図３（ｂ）は、図３（ａ）のＩＩＩｂ―ＩＩＩｂ線における受け部材２０の断面図である。
【００３３】
受け部材２０は、支持棒３０の先端が当接する部材であって、大屋根１０の裏面であってピアノ本体１（図１（ｂ）参照）の高音側（図１（ｂ）紙面手前側）に取り付けられている。
【００３４】
図３に示すように、受け部材２０は、第１中心線Ｏ２を有しその第１中心線Ｏ２の方向（図３（ｂ）上下方向）に長さを有する円形の孔である大孔部２０ａと、第２中心線Ｏ３を有しその第２中心線Ｏ３の方向（図３（ｂ）上下方向）に長さを有する円形の孔であって、第２中心線Ｏ３と直交する方向（図３（ａ）上下方向）で大孔部２０ａに連設される小孔部２０ｂと、大孔部２０ａ及び小孔部２０ｂの両側に穿設される円形の孔である一対の取付孔２０ｆとを備えている。
【００３５】
大孔部２０ａは、支持棒３０の外径Ｒ２（図４（ｂ）参照）より大きく設定される内径Ｒ７を有し嵌合部３２が収容される第１大孔部２２と、支持棒３０の挿入部３３の外径Ｒ４（図４（ｂ）参照）より大きく設定される内径Ｒ６を有し挿入部３３が収容される第２大孔部２６と、その小孔部２０ｂの内縁に沿って第２中心線Ｏ３の方向に延設される壁である大孔側壁部２０ｃとを備えている。
【００３６】
第１大孔部２２は、第１大孔部２２の内縁に沿って第１中心線Ｏ２の方向（図３（ｂ）上下方向）に延設される壁である第１大孔側壁部２２ａを有して構成されている。
【００３７】
第２大孔部２６は、第２大孔部２６の内縁に沿って第１中心線Ｏ２の方向（図３（ｂ）上下方向）に延設される壁であって、第１中心線Ｏ２の方向（図３（ｂ）上下方向）における寸法Ｌ１が支持棒３０の軸心Ｏ１方向（図４（ｄ）上下方向）における挿入部３３の寸法Ｌ３（図４（ｂ）参照）より長く設定される第２大孔側壁部２６ａを備えている。
【００３８】
第２大孔部２６は、第２大孔部２６の内縁に沿って第１中心線Ｏ２の方向（図３（ｂ）上下方向）に延設される壁である第２大孔側壁部２６ａを有して構成されている。第２大孔部２６の内径Ｒ６は、支持棒３０の挿入部３３の外径Ｒ４（図４（ｂ）参照）より大きく設定されている。第２大孔側壁部２６ａは、第１中心線Ｏ２の方向（図３（ｂ）上下方向）における寸法Ｌ１が支持棒３０の軸心Ｏ１方向（図４（ｄ）上下方向）における挿入部３３の寸法Ｌ３（図４（ｂ）参照）より長く設定されている。
【００３９】
小孔部２０ｂは、支持棒３０の外径Ｒ２（図４（ｂ）参照）より大きく設定される内径Ｒ３を有し嵌合部３２が収容される第１小孔部２３と、支持棒３０の挿入部３３の外径Ｒ４（図４（ｂ）参照）より大きく設定される内径Ｒ５（図４（ｂ）参照）を有し挿入部３３が収容される第２小孔部２７と、小孔部２０ｂの内縁に沿って第２中心線Ｏ３の方向（図３（ｂ）上下方向）に延設される壁である小孔側壁部２０ｄとを備えている。なお、第１小孔部２３の内径Ｒ３は、嵌合部３２の外径Ｒ２（図４（ｂ）参照）より若干大きく（Ｒ２が１３ｍｍに対してＲ３が１３．２ｍｍ）設定されている。
【００４０】
第１小孔部２３は、第１小孔部２３の内縁に沿って第２中心線Ｏ３の方向（図３（ｂ）上下方向）に延設される壁であって、後述する第２小孔側壁部２７ａより第２中心線Ｏ３側に突出する第１小孔側壁部２３ａを備えている。この第１小孔側壁部２３ａは、第２中心線Ｏ３の方向（図３（ｂ）上下方向）における寸法が支持棒３０の軸心Ｏ１方向（図４（ｄ）上下方向）における嵌合部３２の寸法より短く設定されている。
【００４１】
第２小孔部２７は、第２小孔部２７の内縁に沿って第２中心線Ｏ３の方向（図３（ｂ）上下方向）に延設される壁であって、第２中心線Ｏ３の方向（図３（ｂ）上下方向）における寸法Ｌ２が支持棒３０の軸心Ｏ１方向（図４（ｄ）上下方向）における挿入部３３の寸法Ｌ３（図４（ｂ）参照）より長く設定される第２小孔側壁部２７ａを備えている。
【００４２】
図３に示すように、小孔部２０ｂは、支持棒３０の軸心Ｏ１と直交する方向（図５（ｂ）左右方向）で大孔部２０ａと連設されるので、小孔部２０ｂ及び大孔部２０ａの全体でダルマ孔に構成されている。受け部材２０は、規制ピン２９を大屋根１０の裏面に穿設されたピン孔に挿入することにより、大屋根１０の裏面に対して位置決めされる。この状態で、一対の取付孔２０ｆのそれぞれに挿通されたボルト（図示せず）が大屋根１０に螺合されることにより、受け部材２０が大屋根１０の裏面に固定される。この受け部材２０は、大屋根１０の裏面から露出する表金具２１と、大屋根１０の裏面に埋め込まれる収容部材２５とで構成されている。
【００４３】
表金具２１は、所定の厚み（図３（ｂ）上下方向における厚み）を有する上面視円形の板状の部材であって、真ちゅう、金又は金メッキ等で形成されている。この表金具２１は、第１大孔部２２と、第１大孔側壁部２２ａと、第１小孔部２３と、第１小孔側壁部２３ａと、第１小孔側壁部２３ａ及び第２小孔側壁部２７ａの間に形成される段差部２３ｂとを有して構成されている。表金具２１を真ちゅう、金又は金メッキ等で形成することで、受け部材２０の外観を向上させている。
【００４４】
収容部材２５は、表金具２１より大きい所定の厚み（図３（ｂ）上下方向における厚み）を有するカップ状部材であって、樹脂で形成されている。この収容部材２５は、第２大孔部２６と、第２大孔側壁部２６ａと、第２小孔部２７と、第２小孔側壁部２７ａと、カップ状の部材の内底に相当する底壁２８とを有し、底壁２８の大屋根１０側（図３（ｂ）下側）の面から大屋根１０側（図３（ｂ）下側）に規制ピン２９を突設させている。収容部材２５を樹脂で形成することにより、収容部材２５を金具で形成した場合に比べて受け部材２０の軽量化を図ることができる。
【００４５】
次いで、図４を参照して、支持棒３０の詳細構成について説明する。図４（ａ）は、図１（ｂ）のＩＶａ部における支持棒３０の拡大斜視図であり、図４（ｂ）は、支持部３０ｂの斜視図であり、図４（ｃ）は、図４（ｂ）の矢印ＩＶｃ方向から視た支持部３０ｂの上面図であり、図４（ｄ）は、図４（ｃ）のＩＶｄ―ＩＶｄ線における支持部３０ｂの断面図である。なお、図４（ｂ）において、本体部３０ａを二点鎖線で図示している。
【００４６】
支持棒３０は、棒状部材であって、支持棒３０の軸心Ｏ１と直交する方向（図４（ｄ）左右方向）の断面が円形に形成され、本体部３０ａと、本体部３０ａと別体で構成される支持部３０ｂとを有して構成されている。この本体部３０ａの先端部分に穿設された孔と後述する支持部３０ｂの結合部３１とを嵌合させることにより、支持部３０ｂが本体部３０ａに固定されている。
【００４７】
この支持部３０ｂは、先端側（図４（ｄ）上側）に設けられる挿入部３３と、この挿入部３３より基端側（図４（ｄ）下側）に設けられる嵌合部３２と、この嵌合部３２より更に基端側（図４（ｄ）下側）に設けられる結合部３１とを有して構成されている。
【００４８】
挿入部３３は、支持棒３０の軸心Ｏ１と直交する方向（図４（ｄ）左右方向）の断面が円形に形成され、外径Ｒ４を有している。また、嵌合部３２は、支持棒３０の軸心Ｏ１と直交する方向（図４（ｄ）左右方向）の断面が円形に形成され、挿入部の外径Ｒ４より小さい外径Ｒ２を有している。結合部３１は、支持棒３０の軸心Ｏ１と直交する方向（図４（ｄ）左右方向）の断面が円形に形成され、外径Ｒ１を有している。この結合部３１の外径Ｒ１は、本体部３０ａの先端部分に穿設された孔の内径と略同一に設定されている。
【００４９】
次に、図５及び図６を参照して、支持棒３０のロック操作（嵌合部３２を受け部材２０の第１小孔部２３に収容する操作）及びロック解除操作（支持棒３０を大孔部２０ａから抜く操作）について説明する。図５は、支持棒３０の挿入部３３及び嵌合部３２が受け部材２０の大孔部２０ａに収容された状態（ロック前状態）を示しており、図５（ａ）は、下方から視た電子ピアノ１００の拡大斜視図であり、図５（ｂ）は、図５（ａ）のＶｂ−Ｖｂ線における受け部材２０及び支持棒３０の断面図である。また、図６は、支持棒３０の嵌合部３２が受け部材２０の第２小孔部２７に収容された状態（ロック後状態）を示しており、図６（ａ）は、下方から視た電子ピアノ１００の拡大斜視図であり、図６（ｂ）は、図６（ａ）のＶＩｂ−ＶＩｂ線における受け部材２０及び支持棒３０の断面図である。
【００５０】
図５（ａ）に示すように、まず、支持棒３０を大屋根１０の下側から支持棒３０の軸心Ｏ１方向で上向き（図５（ａ）上向き）に移動させて嵌合部３２及び挿入部３３を受け部材２０の大孔部２０ａに挿入する。これにより、支持棒３０の挿入部３３が第２大孔部２６に遊嵌されると共に支持棒３０の嵌合部３２が第１大孔部２２に遊嵌される。よって、支持棒３０の挿入部３３が第２大孔部２６に収容されると共に嵌合部３２が第１大孔部２２に収容される。
【００５１】
図５（ｂ）に示すように、この支持棒３０は、挿入部３３の端部（挿入部３３の下側端面（図５（ｂ）上側の端面）の小孔部２０ｂ端部（図５左側の端部）が底壁２８に突き当てられることにより、支持棒３０の軸心Ｏ１方向で上向き（図５（ｂ）上向き）の移動が規制される。その後、支持棒３０を小孔部２０ｂ側（図５（ｂ）左側）に押圧して移動させる。
【００５２】
図６（ａ）に示すように、小孔部２０ｂ側に移動した支持棒３０は、支持棒３０の嵌合部３２が第１小孔部２３（図５（ｂ）参照）に嵌合されると共に支持棒３０の挿入部３３が第２小孔部２７に遊嵌される。よって、支持棒３０の挿入部３３が第２小孔部２７に収容されると共に嵌合部３２が第１小孔部２３（図５（ｂ）参照）に収容される。
【００５３】
図６（ｂ）に示すように、この支持棒３０は、支持棒３０の嵌合部３２が第１小孔側壁部２３ａに突き当てられるので、支持棒３０の小孔部２０ｂ側（図６（ａ）下側）への移動が制限される。従って、支持棒３０の嵌合部３２は第１小孔部２３から抜けないので、支持棒３０が受け部材２０の小孔部２０ｂから外れることを確実に防止することができ、支持棒３０で大屋根１０を確実に支持することができる。結果として、大屋根１０が落下することを防止することができる。
【００５４】
図６（ａ）に示すように、支持棒３０の嵌合部３２は第１小孔部２３に嵌合されており、第１小孔側壁部２３ａは嵌合部３２の下側の外周面を半周以上取り囲むように配設されている。よって、小孔部２０ｂに収容される支持棒３０は、支持棒３０の軸心Ｏ１と直交する方向で左右方向に（図６（ｂ）紙面手前から奥方向）に移動することができない。
【００５５】
従って、小地震又は運搬時の振動及びピアノ本体１への人物の接触によって、支持棒３０に支持棒３０の軸心Ｏ１と直交する方向で左右方向に（図６（ｂ）紙面手前から奥方向）の外力が負荷された場合であっても、支持棒３０の嵌合部３２及び挿入部３３は第１小孔部２３及び第２小孔部２７に収容された状態を維持することができる。よって、支持棒３０が受け部材２０の小孔部２０ｂから外れることを防止でき、支持棒３０で大屋根１０を確実に支持することができる。
【００５６】
一方、支持棒３０の軸心Ｏ１と直交する方向で上向き（図６（ｂ）上向き）の外力が所定値を越える場合に、嵌合部３２と第１小孔部２３との嵌合が解除され、支持棒３０が大孔部２０ａ側に移動する。
【００５７】
図５（ｂ）に示すように、大孔部２０ａ側に移動した支持棒３０は、挿入部３３が第２大孔側壁部２６ａに突き当てられるので、支持棒３０の軸心Ｏ１と直交する方向で上向き（図５（ｂ）上向き）の移動が規制される。よって、支持棒３０の挿入部３３は第２大孔部２６から抜けない。従って、支持棒３０が受け部材２０の大孔部２０ａから外れることを防止でき、支持棒３０で大屋根１０を確実に支持することができる。
【００５８】
さらに、図６（ｂ）に示すように、大地震によって、小孔部２０ｂに収容されている支持棒３０に、支持棒３０の軸心Ｏ１方向で基端向き（支持棒３０を抜く方向、図６（ｂ）下向き）の外力が負荷された場合であっても、挿入部３３と嵌合部３２との段差部分が第１小孔側壁部２３ａと第２小孔側壁部２７ａとの間の段差部２３ｂに突き当てられる。よって、支持棒３０の軸心Ｏ１方向で基端側（図６（ｂ）下側）の支持棒３０の移動、即ち、大屋根が持ち上げられることが規制されるので、支持棒３０が大孔部２０ａから抜けない。従って、支持棒３０が受け部材２０の小孔部２０ｂから外れることを防止でき、支持棒３０で大屋根１０を確実に支持することができる。
【００５９】
図５及び図６で示すように、大屋根１０を支持棒３０で支持させるためには、支持棒３０の軸心Ｏ１方向で上向き（図５（ｂ）上向き）に支持棒３０を移動させる動作と、支持棒３０の軸心Ｏ１と直交する方向で下向き（図６（ｂ）左向き）に支持棒３０を移動させる動作とが必要となる。よって、大屋根１０を閉めるために嵌合部３２を第１小孔部２３に嵌合させた状態の支持棒３０を受け部材２０から抜くには、まず、支持棒３０の軸心Ｏ１と直交する方向で上向き（図６（ｂ）右向き）に支持棒３０を引き上げて支持棒３０を大孔部２０ａに収容するという動作と、支持棒３０を支持棒３０の軸心Ｏ１方向で下向き（図５（ｂ）下向き）に移動させて（大屋根を持ち上げる動作）支持棒３０を抜くという動作、即ち、支持棒３０を２方向に移動させる動作が必要となる。
【００６０】
通常、地震や運搬時の振動及びピアノ本体１への人物の接触によって大屋根１０や支持棒３０に外力が負荷された場合に、その外力が負荷される方向は、支持棒３０の軸心Ｏ１方向（図５（ｂ）及び図６（ｂ）上下方向）及び支持棒３０の軸心Ｏ１と直交する方向（図５（ｂ）及び図６（ｂ）左右方向）のいずれか一方のみであり、同時に２方向の外力が発生することは想定し難い。よって、地震や運搬時の振動及びピアノ本体１への人物の接触によって大屋根１０や支持棒３０に外力が負荷された場合であっても、支持棒３０が支持棒３０の大孔部２０ａ又は小孔部２０ｂから抜けない。従って、支持棒３０が受け部材２０から外れて大屋根１０が落下することを確実に防止することができる。
【００６１】
また、受け部材２０は、大孔部２０ａより小孔部２０ｂを大屋根１０のピアノ本体１への取付箇所に近づけた状態で、大屋根１０の裏面に取り付けられているので、小孔部２０ｂは大孔部２０ａより低い位置に配設されている。一方、支持棒３０で大屋根１０を支持するので、支持棒３０に大屋根１０の自重が負荷されている。よって、大屋根１０の自重を利用して支持棒３０を大孔部２０ａから小孔部２０ｂ側に簡易に移動させることができる。従って、支持棒３０のロック操作を簡易に行うことができる。
【００６２】
さらに、小孔部２０ｂが大孔部２０ａと略同一位置又は大孔部２０ａより高い位置に配設されている場合に比べて、小孔部２０ｂが大孔部２０ａより低い位置に配設されている場合は、より大きな荷重で、嵌合部３２が第１小孔側壁部２３ａに突き当てられる。これにより、支持棒３０の大孔部２０ａ側への移動が規制される。結果として、大屋根１０の落下を確実に防止することができる。
【００６３】
また、支持棒３０の挿入部３３及び嵌合部３２を小孔部２０ｂに収容して大屋根１０を支持する場合に、水平面（大屋根１０を閉めた場合の大屋根１０の上面）に対して支持棒３０の先端面が傾斜する角度と水平面（大屋根１０を閉めた場合の大屋根１０の上面）に対して受け部材２０の底壁２８が傾斜する角度とが一致している。
【００６４】
よって、支持棒３０の挿入部３３及び嵌合部３２を大孔部２０ａに収容する場合に比べて、小孔部２０ｂに収容する場合は、支持棒３０の先端面と受け部材２０の底壁２８とを全面で接触させて支持棒３０の先端面と受け部材２０の底壁２８との接触面積を大きくできるので、支持棒３０の先端面と受け部材２０の底壁２８との接触抵抗を大きくできる。よって、支持棒３０の先端面を受け部材２０の底壁２８に対して相対移動し難くして、大屋根１０の落下を確実に防止することができる。
【００６５】
加えて、小孔部２０ｂが大孔部２０ａと略同一位置又は大孔部２０ａより高い位置に配設されている場合に比べて、小孔部２０ｂが大孔部２０ａより低い位置に配設されている場合は、小孔部２０ｂに収容された支持棒３０を大孔部２０ａ側に移動させるために必要な支持棒３０の軸心０１と直交する方向（図５（ｂ）及び図６（ｂ）左右方向）の外力が大きくなる。よって、この場合に、小孔部２０ｂに収容された支持棒３０の軸心０１と直交する方向（図５（ｂ）及び図６（ｂ）左右方向）の外力が負荷されても、小孔部２０ｂに収容された支持棒３０が大孔部２０ａ側へ移動することを防止することができる。
【００６６】
仮に、支持棒３０が大孔部２０ａ側に移動して大孔部２０ａに収容されてしまうと、大孔側壁部２０ｃは第１中心線Ｏ２側に突出した部分を有しないので、支持棒３０の軸心Ｏ１方向で基端に向かう外力が負荷された場合に、大屋根１０が持ち上げられて、支持棒３０が受け部材２０の大孔部２０ａから外れてしまう。よって、小孔部２０ｂに収容された支持棒３０が大孔部２０ａ側へ移動することを防止することにより、支持棒３０の軸心方向で基端に向かう外力が負荷された場合に、大屋根１０が持ち上げられて、受け部材２０の大孔部２０ａから支持棒３０が外れることを確実に防止することができ、支持棒３０で大屋根１０を確実に支持することができる。結果として、大屋根１０の落下を確実に防止することができる。
【００６７】
また、大孔側壁部２０ｃはないので、大孔部２０ａの内径を大きく設定することができるので、支持棒３０を大孔部２０ａに挿入し易く、しかも抜け易い。よって、小孔部２０ｂを大孔部２０ａより下側（図５（ａ）下側）に配設することにより、大孔側壁部２０ｃに第１中心線Ｏ２側に突出した部分を設けずに支持棒３０の挿入性を向上させた場合であっても、支持棒３０の受け部材２０から抜け難くすることができる。
【００６８】
次に、図７（ａ）及び図７（ｂ）を参照して、位置決めブラケット４０及び支持部材５０の詳細構成について説明する。図７（ａ）は、電子ピアノ１００の背面図であり、図７（ｂ）は、位置決めブラケット４０及び支持部材５０の斜視図である。なお、図７（ｂ）は、位置決めブラケット４０の形状の理解を容易にするため、大屋根１０が二点鎖線で図示されている。
【００６９】
位置決めブラケット４０は、図７（ｂ）に示すように、大屋根１０の幅方向（図７（ａ）左右方向）に延設される平板状のブラケットであって、大屋根１０の下面に取り付けられ、中央に位置決めピン５３が挿入される孔である規制孔４１と、この規制孔４１の両側に配設される取付孔４２とを有して構成されている。この取付孔４２に取付ボルト（図示せず）が挿通されて位置決めブラケット４０が大屋根１０の裏面に固定されている。
【００７０】
図７（ｂ）に示すように、規制孔４１は、ピアノ本体１の長手方向（図７（ｂ）の上下方向）に長径を有する長孔に形成され、この規制孔４１の内縁に沿って規制孔４１の中心線Ｏ５（図１参照）方向に延設される円錐状の周壁４１ａが設けられている。このように規制孔４１を長孔に形成することにより、後述する位置決めピン５３を周壁４１ａ突き当てることなく規制孔４１に挿入することができ、仮に位置決めピン５３が周壁４１ａ突き当たった場合であっても、周壁４１ａを利用して、位置決めピン５３を規制孔４１にスムーズに挿入することができる。
【００７１】
即ち、図７（ａ）に示すように、位置決めピン５３の軸心Ｏ４方向は、支持部５２が位置決めブラケット４０に当接した場合に（大屋根１０が閉じられた場合）に、規制孔４１の中心線のＯ５方向と略平行となるように設定されている。よって、位置決めピン５３が位置決めブラケット４０の規制孔４１に挿入される場合において、規制孔４１の中心線Ｏ５は位置決めピン５３の軸心Ｏ４に対して傾いた状態となっている。
【００７２】
これに対して、規制孔４１がピアノ本体１の幅方向に長孔に形成されるので、位置決めピン５３が規制孔４１の中心線に対して傾斜した状態で挿入される場合であっても、位置決めピン５３を周壁に突き当てることなく規制孔４１に挿入することができる。また、周壁４１ａは、円錐状に設けられるので、仮に位置決めピン５３が周壁４１ａに突き当たった場合でも、位置決めピン５３は周壁４１ａによって規制孔４１の中心線Ｏ５側にガイドされるので、位置決めピン５３を規制孔４１にスムーズに挿入することができる。
【００７３】
図７（ｂ）に示すように、支持部材５０は、側面視Ｌ字型に形成されるブラケットであって、大屋根１０の前側部分を支持している。これは、大屋根１０を支持する側板２は前側（図７（ａ）背面側）を有しない上面視コの字型に形成されるので、大屋根１０の前側部分を側板２の上面で支持することができない。よって、縦壁２ａに支持部材５０を固定して大屋根１０を支持部材５０で支持することにより、大屋根１０の反りを防止している。
【００７４】
支持部材５０は、縦壁２ａに沿って矩形状に形成され縦壁２ａの裏面に固定される固定部５１と、この固定部５１から後方（図７（ｂ）紙面手前側）に延設されて上面視三角形状に形成される支持部５２と、支持部５２の頂部から上方（図７（ａ）上方）に突設されるピンである位置決めピン５３とを有して構成されている。この位置決めピン５３を規制孔４１に挿入してピアノ本体１に対する大屋根１０の位置を正確に規定することができるとともに、支持部５２を位置決めブラケット４０に当接させて大屋根１０を支持部５２で支持させることができる。
【００７５】
これにより、大屋根１０を閉じて大屋根１０を側板２で支持する場合に、大屋根１０と側板２に正確に配設することができる。よって、側板２と大屋根１０との間に隙間が発生することを防止でき、この隙間によって電子ピアノ１００の見栄えが低下することを防止することができる。加えて、大屋根１０の前側部分を支持部５２で支持するので、大屋根１０の前後左右の４カ所で大屋根１０をピアノ本体１に支持させることができ、大屋根１０の反りを防止することができる。
【００７６】
次に、図８を参照して、補強部材６０の詳細構成について説明する。図８（ａ）は、電子ピアノ１００の下部の拡大斜視図であり、図８（ｂ）は、補強部材６０の斜視図である。補強部材６０は、ペダルボックス７と後脚６とを連結する結合ブラケット６１と、後脚６の両側にボルト６６によって取り付けられる脚ブラケット６５とを有して構成されている。
【００７７】
図８（ａ）及び図８（ｂ）に示すように、ペダルボックス７は、３つのペダル７１と、ペダルボックス７の下面から下側（図８（ａ）下側）に突出するアジャストボルト（図示せず）を有して構成され、２本のペダルポスト７２によって、ピアノ本体１の下面（図１（ｂ）参照）と連結されている。
【００７８】
このペダル７１を踏むことによって、演奏者は電子ピアノ１００の音響を操作しているので、ペダルボックス７に後ろ向き（図８（ａ）右向き）の荷重が作用する。この外力の大きさによっては、ペダルボックス７がぐらつき、不安定となる場合がある。これに対し、本発明においては、結合ブラケット６１によってペダルボックス７と後脚６を連結しているので、演奏者がペダル７１を強く踏んだ場合であっても、ペダルボックス７がピアノ本体１及び後脚６に支持されているので、ペダルボックス７がぐらつき、不安定となることを防止することができる。
【００７９】
また、電子ピアノ１００の床面（図示せず）上に設置した後、ペダルボックス７から下方（図７（ａ）下方に）突出するアジャストボルトの突出量を調整することにより、アジャストボルトを床面に当接させている。これにより、アジャストボルトを介してペダルボックス７で床面に支持させることができ、ピアノ本体１の支持点が４点となるので、ピアノ本体１を安定して床面上に設置することができる。
【００８０】
図８（ａ）に示すように、結合ブラケット６１は、ペダルボックス７及び後脚６に取り付けた状態において上面視三角形状に形成されるブラケットであって、図８（ｂ）に示すように、底辺側（図８（ｂ）左側）に配設される一対の取付片６１ａと、頂部側（図８（ａ）右側）に配設される結合面６１ｂとを有して構成されている。取付片６１ａをペダルボックス７にボルト６１ｃで固定すると共に結合面６１ｂを後脚６に固着するので、図８（ｂ）に示すように、結合ブラケット６１によって、ペダルボックス７と後脚６とを連結することができる。よって、演奏者がペダル７１を強く踏んだ場合であっても、後脚６の移動を防止することができる。
【００８１】
本発明の実施の形態において、電子ピアノ１００はグランドピアノタイプであるが、アコースティックのグランドピアノに比べて、大屋根１０（図１参照）の奥行きの寸法（図１（ｂ左右方向）の寸法）が短いので、ペダルボックス７と後脚６との間の距離も短く設定されている。よって、ペダルボックス７と後脚６とを結合ブラケット６１で連結する場合であっても、アコースティックのグランドピアノに比べて、結合ブラケット６１を小型化することができ、結合ブラケット６１によって電子ピアノ１００の外観を損なうことがない。
【００８２】
図８（ａ）に示すように、脚ブラケット６５は、後脚６に取り付けた状態において側面視（図８（ａ）の左側又は右側から視て）三角形状に形成されるブラケットであって、図８（ｂ）に示すように、三角形状に形成される本体部６５ａと、本体部６２ａの下側の一辺から前側（図８（ａ）左側）に突設される設置部６５ｂと、本体部６５ａの後脚６側（図８（ｂ）紙面奥側）の一辺から前側（図８（ａ）左側）に突設される連結部６５ｄと、設置部６５ｂ及び連結部６５ｄの間に配設されるフランジ部６５ｃとを有して構成されている。このフランジ部６５ｃはリブ状に形成されるので、本体部６５ａの剛性を向上させることができる。
【００８３】
図８（ａ）に示すように、連結部６５ｄを後脚６の側面にボルト６６で取り付けると共に設置部６５ｂをボルト（図示せず）により床面（図示せず）これにより、後脚６が床面（図示せず）に固定されている。よって、演奏者がペダル７１を強く踏んだ場合であっても、後脚６の移動を防止することができる。
【００８４】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００８５】
例えば、本実施の形態においては、支持棒３０の挿入部３３と嵌合部３２とを断面円形に構成すると共に、受け部材２０の大孔部２０ａ及び小孔部２０ｂを円形の孔で構成したが、これに限らず、他の形状に例えば断面矩形状等に形成してもよい。これにより、支持棒３０と小孔部２０ｂとに設けられる角部分によって、支持棒３０の軸心Ｏ１と直交する方向での支持棒３０の移動をより確実に規制することができる。
【００８６】
また、本実施の形態においては、支持棒３０を挿入部３３と、嵌合部３２と、結合部３１とを有して構成される支持部３０ｂと、本体部３０ａとで別体に構成したが、これに限らず、支持棒３０の先端に挿入部３３と嵌合部３２とを一体に形成してもよい。この場合、支持棒３０の先端に支持部３０ｂを挿入させる作業を不要とすることができる。
【００８７】
さらに、本実施の形態においては、支持棒３０の嵌合部３２を第１小孔部２３に嵌合させたが、支持棒３０の挿入部３３を第２小孔部２７に嵌合させてもよい。即ち、支持棒３０が小孔部２０ｂに収容された場合に、支持棒３０の軸心Ｏ１と直交する方向に移動しないように構成されていればよい。この場合、挿入部３３は嵌合部３２より外径が大きく設定した場合は、嵌合部３２を第１小孔部２３に嵌合させる場合に比べて、支持棒３０と受け部材２０との接触面積を増大させることができるので、支持棒３０が小孔部２０ｂから抜け難くなる。
【００８８】
また、本実施の形態においては、支持棒３０の挿入部３３を第２大孔側壁部２６ａに突き当てることにより、支持棒３０の軸心Ｏ１と直交する方向で上向きの支持棒３０の移動を規制したが、第１大孔側壁部２２ａを第２大孔側壁部２６ａより中心線Ｏ２側に突設させ、支持棒３０の嵌合部３２を第１大孔側壁部２２ａに突き当てることにより、支持棒３０の軸心Ｏ１と直交する方向で上向きの支持棒３０の移動を規制してもよい。この場合、支持棒３０が大孔部２０ａに収容された状態であっても、支持棒３０の軸心Ｏ１方向で基端部側の支持棒３０の移動、即ち、大屋根が持ち上げられることを規制することができる。
【００８９】
さらに、本実施の形態においては、グランドピアノタイプの電子ピアノ１００について説明したが、これに限らず、アコースティックなピアノであってもよく、また、グランドピアノタイプではなく、大屋根１０がピアノ本体１の短手方向に延びる突出部分を有さず、ピアノ本体１の長手方向に延びる矩形状の部分のみを有する通常のピアノであってもよい。
【図面の簡単な説明】
【００９０】
【図１】（ａ）は、本発明の実施の形態における側方から視た電子ピアノの斜視図であり、（ｂ）は、図１（ａ）の矢印Ｉａ方向から視た電子ピアノの側面図である。
【図２】電子ピアノの上面図である。
【図３】（ａ）は、受け部材の上面図であり、（ｂ）は、受け部材の上面図である。
【図４】（ａ）は、図１（ｂ）のＩＶａ部における支持棒の拡大斜視図であり、（ｂ）は、支持部の斜視図であり、（ｃ）は、図４（ｂ）の矢印ＩＶｃ方向から視た支持部の上面図であり、（ｄ）は、図４（ｃ）のＩＶｄ―ＩＶｄ線における支持部の断面図である。
【図５】（ａ）は、下方から視た電子ピアノの拡大斜視図であり、（ｂ）は、図５（ａ）のＶｂ−Ｖｂ線における受け部材及び支持棒の断面図である。
【図６】（ａ）は、下方から視た電子ピアノの拡大斜視図であり、（ｂ）は、図６（ａ）のＶＩｂ−ＶＩｂ線における受け部材及び支持棒の断面図である。
【図７】（ａ）は、電子ピアノの背面図であり、（ｂ）は、位置決めブラケット及び支持部材の斜視図である。
【図８】（ａ）は、電子ピアノの下部の拡大斜視図であり、（ｂ）は、補強部材の斜視図である。
【符号の説明】
【００９１】
１          ピアノ本体（本体）
１０       大屋根
２０       受け部材
２０ａ    大孔部
２０ｂ    小孔部
２０ｃ    大孔側壁部
２０ｄ    小孔側壁部
２１       表金具（受け部材の一部）
２２       第１大孔部（大孔部）
２２ａ  第１大孔側壁部（大孔側壁部）
２３       第１小孔部
２３ａ    第１小孔側壁部
２３ｂ  段差部
２５       収容部材（受け部材の一部）
２６       第２大孔部（大孔部）
２６ａ    第２大孔側壁部（大孔側壁部）
２７       第２小孔部
２７ａ    第２小孔側壁部
３０       支持棒
３２    嵌合部
３３    挿入部
２８    底壁（底面）
１００  電子ピアノ
Ｒ２       外径（支持棒の軸心と直交する方向における嵌合部の寸法）
Ｒ３    外径（第１小孔部の第２中心線と直交する方向の寸法）
Ｒ４    外径（支持棒の軸心と直交する方向における挿入部の寸法）
Ｒ５       内径（第２小孔部の第２中心線と直交する方向の寸法）
Ｒ６       内径（大孔部の第１中心線と直交する方向の寸法）
Ｒ７    内径（大孔部の第１中心線と直交する方向の寸法）
Ｏ１       軸心（支持棒の軸心）
Ｏ２       第１中心線
Ｏ３       第２中心線
Ｌ２    第２中心線の方向における第２小孔部の寸法
Ｌ３    支持棒の軸心方向における挿入部の寸法
【図１】
0005107102.tif 000002
【図２】
0005107102.tif 000003
【図３】
0005107102.tif 000004
【図４】
0005107102.tif 000005
【図５】
0005107102.tif 000006
【図６】
0005107102.tif 000007
【図７】
0005107102.tif 000008
【図８】
0005107102.tif 000009